(57)【要約】【課題】携帯端末を載置したときに、受信性能を向上する置き台を提供する。【解決手段】置き台は、側壁１４から台座内の空間に突出した板バネ２０を備える。導電部材としての板バネ２０は、アンテナ２４と接続されている。  携帯電話の筐体１０２を台座に着座させるときには、板バネ２０は筐体１０２の左側面に押圧され、板バネ２０と筐体１０２内のテレビ用アンテナ１０８とは近接する位置関係となる。【選択図】図２
2010154316.tif 000002
【特許請求の範囲】
【請求項１】
第１のアンテナを筐体内に備えた携帯端末が載置される置き台であって、
携帯端末の筐体姿勢を拘束した状態で着座させる台座と、
前記台座から延出された第２のアンテナと、
前記第２のアンテナに一端が接続され、前記台座に拘束状態にある筐体の前記第１のアンテナに近い外表面に近接する部分を有する導電部材と、
を備えることを特徴とする置き台。
【請求項２】
さらに、前記導電部材の近接する部分は、前記携帯端末の着座時には当該携帯端末の筐体の前記外表面に押圧されるように、携帯端末が着座すべき空間へと前記台座から突出している
ことを特徴とする請求項１に記載の置き台。
【請求項３】
前記導電部材の近接する部分は、板状をしており、
前記携帯端末の着座時には、前記導電部材の板状部分が前記筐体の外表面に押圧され、当該板状部分と前記筐体の外表面とが面接触する
ことを特徴とする請求項２に記載の置き台。
【請求項４】
前記第２のアンテナは、伸縮機構または回転機構を有する
ことを特徴とする請求項１から３のいずれかに記載の置き台。
【請求項５】
前記携帯端末は筐体表面に充電端子を備えており、
前記台座は、前記携帯端末の着座時に、前記充電端子に接触して給電する給電端子を備える
ことを特徴とする請求項１から４のいずれかに記載の置き台。
【請求項６】
前記第１のアンテナは、テレビ用アンテナであることを特徴とする請求項１から５のいずれかに記載の置き台。
【発明の詳細な説明】
【技術分野】
【０００１】
本発明は、携帯端末を置くための置き台に関する。
【背景技術】
【０００２】
従来から、携帯端末は、その筐体に伸縮自在なアンテナを備えていることが一般的である（例えば、特許文献１参照）が、近年においては、このような伸縮型のアンテナに変わり、アンテナを内蔵した携帯端末が増加する傾向にある。
これは、アンテナの内蔵化により、筐体にアンテナの出っ張りが無くなり、デザインが良くなるという理由からである。
【特許文献１】特開2008-236207号公報
【発明の開示】
【発明が解決しようとする課題】
【０００３】
しかし、アンテナの内蔵化は、端末の受信性能の低下を招くという側面がある。
ところで、携帯端末の中にはテレビ機能を備えるものがある。このような携帯端末では、携帯端末用の置き台に携帯端末を載せてテレビを視聴するという使い方が広まっている。
本発明はこのような背景の下になされたものであって、アンテナを筐体内に備える携帯端末を載置する置き台において、携帯端末を載置したときに、受信性能を向上させる置き台を提供する。
【課題を解決するための手段】
【０００４】
本発明に係る置き台は、第１のアンテナを筐体内に備えた携帯端末が載置される置き台であって、携帯端末の筐体姿勢を拘束した状態で着座させる台座と、前記台座から延出された第２のアンテナと、前記第２のアンテナに一端が接続され、前記台座に拘束状態にある筐体の前記第１のアンテナに近い外表面に近接する部分を有する導電部材と、を備えることを特徴とする。
【発明の効果】
【０００５】
本発明に係る置き台によれば、導電部材は、台座に拘束状態にある筐体のアンテナに近い外表面に近接する部分を有しているので、導電部材とアンテナとを電磁的に結合させることができる。また、導電部材は台座から延出されたアンテナと接続されているので、この台座から延出されたアンテナにより、筐体のアンテナの受信性能を向上させることができる。
【発明を実施するための最良の形態】
【０００６】
（実施の形態１）
以下、図面に参照しながら実施の形態について説明する。
図１は、置き台１と置き台１に載置する携帯電話１００を示す図であり、（ａ）は載置する前、（ｂ）は載置したときを示す。
携帯電話１００は、筐体１０２、ディスプレイ１０４、ヒンジ部１０６を備える。携帯電話１００は、テレビ放送波（例えば、地上波デジタル放送）を受信できる一般的なテレビ機能を備えている。
【０００７】
筐体１０２は合成樹脂材料からなり、直方体状をしている。サイズは、約50×107×18.9mmである。
ヒンジ部１０６は、一般的な回転２軸式のヒンジ機構であり、筐体１０２を折りたたむための折りたたみ用の第１ヒンジ軸と、このヒンジ軸に直交するディスプレイ１０４回転用の第２ヒンジ軸を含んでいる。なお、ヒンジ部１０６付近にはテレビ放送波を受信するためのテレビ用アンテナ１０８（図２参照）が内蔵されている。
【０００８】
筐体１０２を折りたたむときには、第２ヒンジ軸を回転させることでディスプレイ１０４を外側にも内側にも向けることができる。図１（ａ）ではディスプレイ１０４は外側に向いている。
ディスプレイ１０４は、2.8インチであり、テレビ機能使用時にはテレビ画面を表示する。
【０００９】
置き台１は、台座部１０と背面部３０と補助アンテナ部２２とを備える。
台座部１０は、合成樹脂材料からなり、携帯電話１００を載置するための載置部（底面部）１２、載置された携帯電話１００をそれぞれ左右から挟む側壁部１４，１６、給電端子１８を有する。
背面部３０は、ＡＣアダプタの接続プラグ３４と接続されるプラグ穴３２を備える。プラグ穴３２に接続プラグ３４が接続されると、前面の給電端子１８から電力を供給できる状態となる。そして、携帯電話１００の載置時には、給電端子１８は、筐体１０２の表面の充電端子（不図示）に接触し、この充電端子を介して携帯電話１００のバッテリを充電することができる。この意味で置き台１は、充電台と呼ぶこともできる。
【００１０】
図２（ａ）は、図１のＡ部を拡大した図である。図２（ｂ）は図２（ａ）の矢印Ｂ方向から見たときの図である。図２（ｃ）は、側壁部１４と板バネ２０を示す斜視図である。
図２（ａ）に示すように、筐体１０２内の端部にはテレビ用アンテナ１０８が配されている。テレビ用アンテナ１０８は直線状をしており、筐体１０２の左側面１０２Ｌの端部側に配されている。
【００１１】
図２（ｂ）に示すように、携帯電話１００の筐体１０２は台座１０に載置させることができる、載置する際には、図示しない係合部材により携帯電話１００は、台座１０上でがたつかない程度に固定される。このように台座１０は、携帯電話１００を、所定の姿勢においてがたつかないよう固定した状態（拘束させた状態）で載置（着座ともいえる。）させることとなる。
【００１２】
なお、係合部材の位置関係から筐体１０２を台座１０に固定する方向は一定の方向に限られるので、台座１０に筐体１０２を載置する場合には、筐体内のテレビ用アンテナ１０８が台座に対してどの位置あるかは一意に定められることとなる。
また、図２（ａ）（ｂ）（ｃ）に示すように、側壁部１４の壁内からは、台座１０内の携帯電話１００が載置されるべき空間に向けて板バネ２０が突出している。この板バネ２０は、リン青銅製であり、側壁部１４の壁内においてアンテナ２４と接続している。
【００１３】
アンテナ２４は、樹脂カバー２６に囲まれている。支点２８は、樹脂カバー２６が回転中心となる点であり、図２（ａ）に示すように、樹脂カバー２６を回転させることで樹脂カバー２６内のアンテナ２４も一体して回転させることができる。
図３は、図１のＡ部を拡大した図であり、携帯電話１００を載置したときの図である。
図３に示すように、携帯電話１００の筐体１０２を載置したときには、板バネ２０が筐体１０２の左側面１０２Ｌに押圧されることで、板バネ２０と筐体１０２の左側面１０２Ｌとが面接触して密着することとなる。そして同時に、板バネ２０と筐体１０２の左側面１０２Ｌ付近に配されたテレビ用アンテナ１０８は接近する（図３中、距離ｌ（エル）は両者の最短距離を示す。）。この接近により板バネ２０とテレビ用アンテナ１０８とを電磁的に結合させることができる。また、板バネ２０はアンテナ２４と接続されているため、アンテナ２４とテレビ用アンテナ１０８とが電磁的に結合しているとも言える。このような板バネ２０とテレビ用アンテナ１０８との電磁的な結合により、テレビ用アンテナ１０８を用いたテレビ放送波の受信性能を向上させることができる。
【００１４】
また、置き台１に載置した携帯電話１００のテレビ機能を利用してテレビを視聴しているユーザーは、樹脂カバー２６を回転させることで内部のアンテナ２４を回転させることができ、テレビ放送波の受信感度を適宜調整することができる。
（実施の形態２）
実施の形態１では、受信感度の調整のために、アンテナ２４を回転できる構成であったが、実施の形態２では、回転自在かつ伸縮自在なアンテナを用いる。実施の形態１と異なる部分を中心に説明する。
【００１５】
図４は、実施の形態２に係る図であり、図１のＡ部に対応する部分を拡大した図である。
図４に示すように、補助アンテナ部４２は、アンテナ４４とアンテナ４４に接続された板バネ４０を有する。
板バネ４０は、側壁部１４の壁内から内壁側に突出している。
【００１６】
アンテナ４４は、いわゆるホイップアンテナと呼ばれる直線状のタイプであり、支点４８を中心に回転する機構と、図４中上下方向の矢印方向に伸縮する機構とを備える。アンテナ４４は、台座部１０の上部から延出した部分において、回転および伸縮自在であるので、ユーザーは回転や伸縮させることで受信感度を適宜調整することができる。
＜補足＞
（１）実施の形態１，２では、板バネ２０，４０により、携帯電話１００の載置時に筐体１０２の左側面１０２Ｌと接触させるとして説明したが、板バネに限らず、例えばクッション性を有する導体材料からなる部材を用いても構わない。あるいは台座部内に突出する方向に付勢され、携帯電話の載置時に、その付勢力により筐体と密着できるような部材でもよい。
【００１７】
まとめると、（Ａ）板バネなどの弾性体や、（Ｂ）クッション性を有する材料や、（Ｃ）台座部内に向けて付勢力を有する材料など、要は携帯電話の載置時に、筐体に押圧されて、筐体と密着できるような部材であれば構わない。
もっとも板バネ２０，４０のように、携帯電話１００の載置時に筐体１０２の面接触するようにすれば、板バネ２０，４０とテレビ用アンテナ１０８との電磁的な結合を強固にでき好適である。
【００１８】
（２）実施の形態１，２では、携帯電話１００の載置時に、筐体１０２のテレビ用アンテナ１０８が側壁部１４の近くに位置したので、側壁部１４に板バネ２０，４０を設置していたが、載置すべき携帯電話の内蔵アンテナの位置が変われば、それに応じて板バネの位置も変わり得る。例えば、載置時に、載置部１２の近くに内蔵アンテナ１０８が位置するのであれば、載置部１２付近に板バネを設置する構成が考えられる。要は、置き台に載置する携帯電話の内蔵アンテナと、できるだけ近くなるように、置き台側の板バネを設置するようにすればよい。
【００１９】
このように、置き台１側の板バネの位置をテレビ用アンテナ１０８の位置に応じて工夫して設置することで、携帯電話１００のユーザーは、テレビ用アンテナ１０８の位置や、板バネの位置や、両者の位置関係などを特に意識することなく受信性能向上という効果を享受できる。すなわち、ユーザーは携帯電話１００を通常のやり方で置き台１に設置するだけで、携帯電話１００のテレビ用アンテナ１０８と置き台１の板バネとが電磁的に結合されることとなり、結合の結果、テレビ用アンテナ１０８の受信感度が向上するからである。
【００２０】
（３）実施の形態１，２では、板バネ２０，４０によりアンテナ２４，４４とテレビ用アンテナ１０８とをつないでいたが、板バネ２０，４０が無くとも、アンテナ２４，４４とテレビ用アンテナ１０８とを近接して配置すればある程度はテレビ用アンテナ１０８の受信性能の向上を見込むことができる。
（４）実施の形態１，２では、置き台１は、充電機能を備えているとして説明したが、充電機能は必須ではない。
【００２１】
（５）実施の形態１，２では、携帯端末の一例として、携帯電話を挙げて説明したが、携帯電話に限らずテレビ機能を備える携帯型の端末に広く適用することができる。また、例示した寸法や部材の材料は一例であり、適宜変更することができる。
また、携帯端末の筐体内のアンテナとしてテレビ用アンテナ１０８を例として挙げたが、筐体内のアンテナとしてテレビ用アンテナに限定するものではなく、本発明の趣旨を逸脱しない範囲でＧＰＳ用のアンテナ等、その他適宜な他の用途のアンテナであっても良い。
【産業上の利用可能性】
【００２２】
本発明に係る置き台は、載置する携帯端末の受信感度を向上でき有用である。
【図面の簡単な説明】
【００２３】
【図１】（ａ）（ｂ）は置き台１と置き台１に載置する携帯電話１００を示す図であり、（ａ）は載置する前、（ｂ）は載置したときの図である。
【図２】（ａ）は、図１のＡ部を拡大した図である。（ｂ）は（ａ）の矢印Ｂ方向から見たときの図である。（ｃ）は、側壁部１４と板バネ２０を示す斜視図である。
【図３】図１のＡ部を拡大した図であり、携帯電話１００を載置したときの図である。
【図４】実施の形態２に係る図であり、図１のＡ部に対応する部分を拡大した図である。
【符号の説明】
【００２４】
１  置き台（卓上ホルダ）
１０  台座部（台座）
１２  載置部
１４  側壁部
１６  側壁部
１８  給電端子
２０，４０  板バネ（板状の導電部材）
２２  補助アンテナ部
２４，４４  アンテナ
２６  樹脂カバー
２８  支点
３０  背面部
３２  プラグ穴
３４  ＡＣアダプタの接続プラグ
１００  携帯電話（携帯端末の一例）
１０２  筐体
１０２Ｌ  筐体の左側面
１０４  ディスプレイ
１０６  回転ヒンジ
１０８  テレビ用アンテナ
【図１】
2010154316.tif 000003
【図２】
2010154316.tif 000004
【図３】
2010154316.tif 000005
【図４】
2010154316.tif 000006